(57)【要約】【課題】  取付金具の一部を曲がりやすくすることで、軽量埋込体に取付金具を差し込むだけで、この取付金具を軽量埋込体に強固に固定する。【解決手段】  コンクリート内に埋設する軽量材からなる複数の発泡スチロールのような軽量埋込体１と、軽量埋込体１内に差し込むために、先端部３が下向きになるように線材２を略コ字形状に形成した取付金具４と、取付金具４を複数並列させて取り付けた支持筋５とを備え、各取付金具４が各軽量埋込体１から抜けないように、取付金具４を先端部３から軽量埋込体１に差し込むときに、線材２の途中が曲折するように構成した。【選択図】  図３
2006188869.tif 000002
【特許請求の範囲】
【請求項１】
コンクリート内に埋設する軽量材からなる複数の軽量埋込体（１）と、
前記軽量埋込体（１）内に差し込むために、先端部（３）が下向きになるように線材（２）を略コ字形状に形成した取付金具（４）と、
前記取付金具（４）を複数並列させて取り付けた支持筋（５）と、を備え、
各取付金具（４）が各軽量埋込体（１）から抜けないように、該取付金具（４）を先端部（３）から該軽量埋込体（１）に差し込むときに、前記線材（２）の途中が曲折するように構成した、ことを特徴とするコンクリートスラブ用軽量埋込体の連設体。
【請求項２】
前記軽量埋込体（１）は発泡樹脂材からなる埋込体である、ことを特徴とする請求項１のコンクリートスラブ用軽量埋込体。
【請求項３】
前記取付金具（４）は、各先端部（３）に傾斜した切断面（６）を形成すると共に、該取付金具（４）が曲折しやすいように、前記線材（２）の途中に曲折契機部（７）を形成したものである、ことを特徴とする請求項１のコンクリートスラブ用軽量埋込体の連設体。
【請求項４】
前記取付金具（４）の先端部（３）に形成した両切断面（６）の傾斜方向が異なる方向である、ことを特徴とする請求項３のコンクリートスラブ用軽量埋込体の連設体。
【発明の詳細な説明】
【技術分野】
【０００１】
本発明は、建築物の鉄筋コンクリート中空スラブ内に埋設する軽量材から成る埋込体に係り、特に複数の軽量埋込体を並べたコンクリートスラブ用軽量埋込体の連設体に関するものである。
【背景技術】
【０００２】
従来から軽量材からなる埋込体をコンクリート内に埋設するコンクリート中空スラブ工法が知られている。これは、軽量材から成る埋込体を型枠板の上面であって縦横に配筋した上端筋及び下端筋の間に配置し、その後コンクリートを打設する工法である。これにより、埋込体が埋設された部分にコンクリート内に中空部が形成され、コンクリートスラブの軽量化を図ると共に遮音性等を向上させる。
【０００３】
コンクリート内に埋込体を埋設する技術が種々提案されている。例えば特許文献１の特開２００３−３２１８９４公報「平面格子中空コンクリートスラブ及び押さえ金物」のように、埋込体として中空コンクリートスラブとこれに用いる押さえ金物が提案されている。
【０００４】
この特許文献１の押さえ金物は、隣り合う上端筋の間に平行に配置される少なくとも２本の補助筋と、補助筋に下向きに固着された複数のユニットで構成され、このユニットは格子状に配筋された上端筋が形成する小空間に装入され、軽量球体をこの小空間の所定位置に固定するようにした
1104974534140_0
【特許文献１】特開２００３−３２１８９４
【０００５】
そこで、本発明の発明者は、図７の断面図に示すように、軽量埋込体５１の素材として発泡樹脂材に着目し、軽量埋込体５１を球体のような所定の形状に成型し、この軽量埋込体５１に略コ字形状の取付金具５２をその両先端から差し込み、この取付金具５２を２本の支持筋５３に間隔をあけて取り付け、軽量埋込体５１の連設体を構成する技術に着目した。
【発明の開示】
【発明が解決しようとする課題】
【０００６】
しかし、支持筋５３に間隔をあけて取り付けた略コ字形状の取付金具５２は、軽量埋込体５１にその両先端部から差し込んでいるだけで、この軽量埋込体の連設体を乱暴に取り扱う際に、軽量埋込体５１が取付金具５２から簡単に抜けることがあった。一旦、取付金具５２から抜けた軽量埋込体５１を再度差し込んでも、軽量埋込体５１に開いた取付金具５２の挿通穴が緩くなって軽量埋込体５１が外れやすくなるという問題を有していた。
【０００７】
このように一旦軽量埋込体５１が外れやすくなった連設体は、これを上端筋及び下端筋の間に配置する際にも、軽量埋込体５１が外れて作業のやり直しが多くなり配置作業が煩雑になりやすいという問題を有していた。
【０００８】
本発明は、かかる問題点を解決するために創案されたものである。すなわち、本発明の目的は、取付金具の一部を曲がりやすくすることで、軽量埋込体に取付金具を差し込むだけで、この取付金具を軽量埋込体に強固に固定することができるコンクリートスラブ用軽量埋込体の連設体を提供することにある。
【課題を解決するための手段】
【０００９】
本発明によれば、コンクリート内に埋設する軽量材からなる複数の軽量埋込体（１）と、前記軽量埋込体（１）内に差し込むために、先端部（３）が下向きになるように線材（２）を略コ字形状に形成した取付金具（４）と、前記取付金具（４）を複数並列させて取り付けた支持筋（５）と、を備え、各取付金具（４）が各軽量埋込体（１）から抜けないように、該取付金具（４）を先端部（３）から該軽量埋込体（１）に差し込むときに、前記線材（２）の途中が曲折するように構成した、ことを特徴とするコンクリートスラブ用軽量埋込体の連設体が提供される。
前記軽量埋込体（１）は発泡樹脂材からなる埋込体である。
【００１０】
前記取付金具（４）は、各先端部（３）に傾斜した切断面（６）を形成すると共に、該取付金具（４）が曲折しやすいように、前記線材（２）の途中に曲折契機部（７）を形成したものである。
前記取付金具（４）の先端部（３）に形成した両切断面（６）の傾斜方向が異なる方向である。
【発明の効果】
【００１１】
上述したように、本発明では、各軽量埋込体（１）に取付金具（４）を差し込む際に、取付金具（４）の先端部（３）が該軽量埋込体（１）内を侵入しているときに直進方向から外れて線材（２）の途中が曲折し、取付金具（４）が軽量埋込体（１）から抜けないようになる。そこで、この軽量埋込体（１）を取付金具（４）に強固に固定することができる。特に、取付金具（４）が下向きの略コ字形状になり、各先端部（３）の傾斜した切断面（６）が軽量埋込体（１）内で曲がりやすいので、取付金具（４）を軽量埋込体（１）に容易に差し込むことができる。軽量埋込体の連設体を迅速に組み立てることができる。
【００１２】
特に、取付金具（４）は、線材（２）の途中に曲折契機部（７）を形成したものでは、取付金具（４）を軽量埋込体（１）に差し込む際に先端部（３）を確実に曲折させることができる。
【発明を実施するための最良の形態】
【００１３】
本発明は、コンクリート内に埋設する軽量材からなる複数の軽量埋込体と、軽量埋込体内に差し込めると共に曲がりやすい線材を略コ字形状に形成した取付金具と、複数の取付金具を並列させて取り付けた支持筋とを備えたコンクリートスラブ用軽量埋込体の連設体である。
【実施例１】
【００１４】
以下、本発明の好ましい実施の形態を図面を参照して説明する。
図１は実施例１のコンクリートスラブ用軽量埋込体の連設体の正面図である。図２は実施例１のコンクリートスラブ用軽量埋込体の連設体の平面図である。図３は実施例１のコンクリートスラブ用軽量埋込体に取付金具を差し込んだ状態の断面図である。
本発明のコンクリートスラブ用軽量埋込体の連設体は、コンクリート内に埋設する軽量材からなる複数の軽量埋込体１と、この軽量埋込体１内に差し込めるように線材２の先端部３を下向きに略コ字形状に形成した取付金具４と、２本１組の取付金具４を複数間隔をあけて取り付けた２本の線材を並行に並べた支持筋５とを備えたものである。この軽量埋込体１は、発泡スチロールのような軽量な発泡樹脂材からなる。図示例では、１個の軽量埋込体１を２本１組の取付金具４で固定しているが、支持筋５に固定することができると共に、軽量埋込体１が不用意に外れないものであれば、取付金具４は２本１組に限定されない。
【００１５】
このように構成した軽量埋込体１の連設体は、型枠板の上面であって縦横に配筋した上端筋及び下端筋の間に配置し、その後コンクリートを打設する。この軽量埋込体１は埋設された部分にコンクリート内に中空部が形成され、コンクリートスラブの軽量化を図ることができるものであれば、発泡樹脂材の空隙率は限定されない。なお、図示例では３個の軽量埋込体１を支持筋５に連設した状態であるがこの個数に限定されない。
【００１６】
図４は実施例１のコンクリートスラブ用軽量埋込体に差し込む前の取付金具の拡大正面図である。
本発明の取付金具４は、軽量埋込体１に差し込む際に、この取付金具４の先端部３が軽量埋込体１内を侵入しているときに直進方向から外れ、線材２の途中が曲折して、取付金具４が軽量埋込体１から抜けないようになっている。例えば、取付金具４は、下向きの各先端部３に傾斜した切断面６を形成すると共に、取付金具４が曲折しやすいように線材２の途中に曲折契機部７を形成したものである。この先端部３に傾斜した切断面６は、取付金具４を軽量埋込体１内に差し込むときに直進方向から外れて線材２の途中を曲折させる機能を有する。また、線材２の途中に形成した曲折契機部７は、取付金具４の線材２を曲折しやすくする機能を有する。このように本発明では、取付金具４を軽量埋込体１内に差し込んだときにのみ、取付金具４の一部が曲折するように構成したので、取付金具４を軽量埋込体１に容易に差し込みやすく迅速に軽量埋込体１の連設体を組み立てることができる。
なお、曲折契機部７は線材２の一部を切り欠いて機械的強度を低下させた部位であるが、曲折契機部７は線材２の一部に予め折り目を入れておいたものでもよい。
【００１７】
図５は実施例１の取付金具を軽量埋込体に差し込む状態を示すものであり、（ａ）は取付金具の先端部を軽量埋込体に差し込む状態の断面図、（ｂ）は取付金具が曲折していく状態の断面図、（ｃ）は取付金具を最後まで差し込んだ状態の断面図である。
本発明の取付金具４が軽量埋込体１内で曲折する状態を説明する。先ず、図５（ａ）に示すように、下向きの略コ字形状の線材２からなる取付金具４を軽量埋込体１に、各先端部３から差し込む。取付金具４の先端部３には傾斜した切断面６が形成されているので、容易に取付金具４を差し込むことができる。
次に、図５（ｂ）に示すように、取付金具４はその先端部３には傾斜した切断面６が軽量埋込体１内を突き進むときに、この切断面６が抵抗になって直進できなくなる。図示上では２本の先端部が内側に傾斜していく。更に、本発明では取付金具４の線材２の途中に曲折契機部７を形成してあるので、この曲折契機部７部分で容易にかつ確実に曲折する。
最後に、図５（ｃ）に示すように、略コ字形状の取付金具４を軽量埋込体１に最後まで差し込むと取付金具４の曲折契機部７で大きく曲折する。このように線材２に曲折部分があるために、取付金具４が軽量埋込体１から抜けにくくなる。
【００１８】
本発明では、取付金具４は支持筋５に固定しやすいよういに、下向きの略コ字形状の線材２を用いているが、軽量埋込体１にその先端部３から差し込みやすい形状であれば、この略コ字形状に限定されない。また、取付金具４の先端部３は、軽量埋込体１内を突き進むときに抵抗を受けて傾斜しやすいように、傾斜した切断面６としている。しかし、このように抵抗を受けて傾斜しやすい形状であれは、傾斜した切断面６以外に、例えば、先端部３に傾斜したウィングのような抵抗部材（図示していない）を取り付けることも可能である。
【実施例２】
【００１９】
図６は実施例２の取付金具の正面図である。
実施例２では、取付金具４の先端部３に形成した両切断面６の傾斜方向が内側になっている。このように構成した取付金具４は、両切断面６は軽量埋込体１内を突き進むときに抵抗を受けて外側に曲折するようになる。本発明では取付金具４の先端部３が曲折して、軽量埋込体１から抜けづらくなる形状であれば、上述した傾斜方向に限定されない。
【００２０】
なお、本発明は上述した発明の実施の形態に限定されず、取付金具４を曲がりやすくすることで、軽量埋込体１に取付金具４を差し込むだけで、この軽量埋込体１を取付金具４で強固に固定することができる構成であれば、図示したような構成に限定されず、本発明の要旨を逸脱しない範囲で種々変更できることは勿論である。
【産業上の利用可能性】
【００２１】
本発明のコンクリートスラブ用軽量埋込体の連設体は、コンクリートスラブを軽量化するために、このコンクリートスラブ内に埋設するだけでなく、その他の打設するコンクリートを軽量化するような様々な用途に利用することができる。
【図面の簡単な説明】
【００２２】
【図１】実施例１のコンクリートスラブ用軽量埋込体の連設体の正面図である。
【図２】実施例１のコンクリートスラブ用軽量埋込体の連設体の平面図である。
【図３】実施例１のコンクリートスラブ用軽量埋込体に取付金具を差し込んだ状態の断面図である。
【図４】実施例１のコンクリートスラブ用軽量埋込体に差し込む前の取付金具の拡大正面図である。
【図５】実施例１の取付金具を軽量埋込体に差し込む状態を示すものであり、（ａ）は取付金具の先端部を軽量埋込体に差し込む状態の断面図、（ｂ）は取付金具が曲折していく状態の断面図、（ｃ）は取付金具を最後まで差し込んだ状態の断面図である。
【図６】は実施例２の取付金具の正面図である。
【図７】従来のコンクリートスラブ用軽量埋込体に取付金具を差し込んだ状態の断面図である。
【符号の説明】
【００２３】
１  軽量埋込体
２  線材
３  取付金具の先端部
４  取付金具
５  支持筋
６  切断面
７  曲折契機部
【図１】
2006188869.tif 000003
【図２】
2006188869.tif 000004
【図３】
2006188869.tif 000005
【図４】
2006188869.tif 000006
【図５】
2006188869.tif 000007
【図６】
2006188869.tif 000008
【図７】
2006188869.tif 000009